(57)【要約】【課題】球揚送機構が上球受皿や下球受皿の周りの前面の曲面的な美的形状を確保しつつ遊技機枠の前部に設けられる。【解決手段】心棒９８と丸棒を蔓巻発条のように蔓巻状に形成した形態の螺旋体９９とからなる揚送球搬送体３３が上球受皿１１と下球受皿１２とを繋ぐ揚送筐体３１の１つの円筒状の曲線的な空間に収容され、揚送モータ３２が駆動するのに伴い、螺旋体９９が心棒９８を中心として心棒９８の周囲を一方向に回転すると、矢印Ｘ４で示すように下球受皿１２の揚送球入口２６から球揚送扉４３の上面と揚送球導入路３４と筐体球入口８０を経由して揚送球搬送体３３の下部に到達した球が、回転する螺旋体９９によって上方に搬送された後に揚送球導出路３５を経由して揚送球出口２０から上球受皿１１に排出される。【選択図】図６
2008132140.tif 000002
【特許請求の範囲】
【請求項１】
遊技に使用する球を貯蔵する上球受皿と上球受皿から抜き取られる球を貯蔵する下球受皿とを繋ぐ揚送筐体が１つの円筒状の曲線的な空間を形成し、心棒と可撓性の有る螺旋体とからなる揚送球搬送体が揚送筐体の１つの円筒状の曲線的な空間に収容され、揚送モータが駆動するのに伴い、螺旋体が心棒を中心として回転することによって下球受皿から上球受皿に球を搬送することを特徴とする遊技機の皿揚球装置。
【発明の詳細な説明】
【技術分野】
【０００１】
本発明は、球揚送機構が上球受皿や下球受皿の周りの前面の曲面的な美的形状を確保しつつ遊技機枠の前部に設けられる遊技機の皿揚球装置に関する。
【背景技術】
【０００２】
球を遊技媒体として使用するパチンコ遊技機などの遊技機では、下球受皿から上球受皿に球を搬送する皿揚球装置が知られている。図９および図１０は、特許文献１で開示された皿揚球装置を備えたパチンコ遊技機を示す。
【０００３】
図１０において、パチンコ遊技機は、遊技機枠１の内部に図外の遊技盤を交換可能に取り付ける形態である。遊技機枠１は、固定枠２の前部に可動枠３を開閉可能に備え、可動枠３の前部に前扉４および皿構造体５を開閉可能に備える。固定枠２は、遊技機設置設備に固定される。遊技機設置設備は、パチンコ遊技機を設置する遊技店の島と呼ばれる設備である。可動枠３は、左側に位置するヒンジ６を中心とし、固定枠２の前で前方に開かれかつ後方に閉じられるように、片開き可能である。可動枠３には、図外の施錠装置、図外の遊技盤を交換可能に取り付けるための機構、図外の球発射機構、図外の球払出装置が設けられる。前扉４および皿構造体５は、個別に、左側に位置するヒンジ７を中心とし、可動枠３の前で前方に開かれかつ後方に閉じられるように、片開き可能である。
【０００４】
前扉４には、窓９、前面パネル１０が設けられる。窓９は、前後方向への貫通孔として構成される。前面パネル１０は、窓９を後から塞ぐ大きさのガラスまたは合成樹脂からなる光透過性の有る無色な板状に構成される。皿構造体５は、前扉４よりも下部に配置される。皿構造体５の前部には、上球受皿１１、下球受皿１２、球発射操作機構１３が設けられる。上球受皿１１は、遊技に使用する球を貯蔵する容器である。下球受皿１２は、上球受皿１１から抜き取られる球を貯蔵する容器である。
【０００５】
上球受皿１１には、球払出口１５、発射球供給口１６、上抜取球入口１７、上球抜取扉１８、上球抜取操作体１９、揚送球出口２０が設けられる。上球受皿１１における底部の球の接触する上面は、上球受皿１１に取り込まれた球を発射球供給口１６に向けて流下させる斜面を構成する。上球抜取扉１８と上球抜取操作体１９とは互いに図外の連結機構で連結されており、上球抜取操作体１９がばねのばね力に抗し遊技者に操作されるのに伴い連結機構を介して上球抜取扉１８が上抜取球入口１７を開放するように動作し、上記上球抜取操作体１９への遊技者からの操作が解除されるのに伴いばねのばね力で連結機構を介して上球抜取扉１８が上抜取球入口１７を閉鎖するように動作する。つまり、上球抜取扉１８は上球抜取操作体１９の操作に伴い機械式に開閉する構造になっている。
【０００６】
下球受皿１２には、下抜取球入口２２、下抜取球出口２３、下球抜取扉２４、下球抜取操作体２５、揚送球入口２６、揚送操作体２７が設けられる。下球受皿１２における底部の球の接触する底面２８は、下球受皿１２の内部に取り込まれた球を揚送球入口２６に向けて流下させる斜面を構成する。下球抜取扉２４と下球抜取操作体２５とは互いに図外の連結機構で連結されており、下球抜取操作体２５が遊技者で操作されるのに伴い連結機構を介して下球抜取扉２４が下抜取球出口２３を開放するように動作し、上記下球抜取操作体２５への遊技者からの操作が解除されるのに伴い連結機構を介して下球抜取扉２４が下抜取球出口２３を閉鎖するように動作する。つまり、下球抜取扉２４は下球抜取操作体２５の操作に伴い機械式に開閉する構造になっている。
【０００７】
図９に示すように、上球受皿１１および下球受皿１２には、抜取球通路２９および球揚送機構３０が設けられる。球揚送機構３０は、揚送筐体３１、揚送モータ３２、揚送球搬送体３３、揚送球導入路３４、揚送球導出路３５が設けられる。
【０００８】
図９において、皿揚球装置の動作について説明する。上抜取球入口１７が上球抜取扉１８で閉鎖され、球払出装置から賞球または貸球としての球が払い出された場合、当該球は、図１０の球払出口１５から上球受皿１１に払い出され、上球受皿１１の球と接触する底面を球発射球供給口１６に向けて流下し上球抜取扉１８および発射球送出機構６１に受け止められ上球受皿１１に貯蔵される。
【０００９】
図９に戻り、前記のように球が上球受皿１１に貯蔵された状態において、遊技者が上球抜取操作体１９を操作すると、上球抜取扉１８が実線で示す位置から仮想線で示す位置に移動しかつ停止して上抜取球入口１７を開放する。これによって、球が、矢印Ｘ１で示すように上球受皿１１から上抜取球入口１７と抜取球通路２９および下抜取球入口２２を経由して下球受皿１２に排出された後に下球受皿１２の底面２８を揚送球入口２６に向けて流下して下球受皿１２に貯蔵されるとともに、矢印Ｘ２で示すように揚送球入口２６を経由して揚送球導入路３４に貯蔵される。
【００１０】
そして、球が下球受皿１２および揚送球導入路３４に貯蔵され、球箱３７が下球受皿１２の真下に位置するように遊技機設置設備の棚３８の上に置かれた状態において、遊技者が下球抜取操作体２５を操作すると、下球抜取扉２４が実線で示す位置から仮想線で示す位置に移動しかつ停止して下抜取球出口２３を開放する。これによって、球が、矢印Ｘ３で示すように下抜取球出口２３から落下して球箱３７に取り込まれる。この場合、上記揚送球導入路３４に貯蔵された球は、揚送球導入路３４に残存されたままである。
【００１１】
また、下球抜取扉２４が仮想線で示す位置から実線で示す位置に移動しかつ停止して下抜取球出口２３を閉鎖し、球が下球受皿１２および揚送球導入路３４に貯蔵された状態において、遊技者が揚送操作体２７を操作すると、揚送モータ３２が揚送球搬送体３３を回転し、揚送球搬送体３３が揚送球導入路３４に残存する球および下球受皿１２に貯蔵された球を上方に搬送する。この上方に搬送された球は矢印Ｘ４で示すように揚送球搬送体３３の上部から揚送球導出路３５を経由して揚送球出口２０から上球受皿１１に排出される。
【００１２】
しかしながら、球揚送機構３０が球を下から上に直線的に搬送する構造になっている。このため、球揚送機構３０が、上球受皿１１や下球受皿１２の周りの前面の曲面的な美的形状を確保しつつ、遊技機枠１の前部に設けられることができないという欠点がある。
【特許文献１】特開２００１−３５３３２２号公報
【特許文献２】特開２００３−３４００８６号公報
【発明の開示】
【発明が解決しようとする課題】
【００１３】
発明が解決しようとする問題点は、上球受皿１１や下球受皿１２の周りの前面の曲面的な美的形状を確保しつつ、球揚送機構３０を遊技機枠１の前部に設けることができないという点である。
【課題を解決するための手段】
【００１４】
本発明に係る遊技機の皿揚球装置は、遊技に使用する球を貯蔵する上球受皿と上球受皿から抜き取られる球を貯蔵する下球受皿とを繋ぐ揚送筐体が１つの円筒状の曲線的な空間を形成し、心棒と可撓性の有る螺旋体とからなる揚送球搬送体３３が揚送筐体の１つの円筒状の曲線的な空間に収容され、揚送モータが駆動するのに伴い、螺旋体が心棒を中心として回転することによって下球受皿から上球受皿に球を搬送することを最も主要な特徴とする。
【発明の効果】
【００１５】
本発明に係る遊技機の皿揚球装置は、揚送モータが駆動するのに伴い、螺旋体が心棒の曲線的な形状および揚送筐体の曲線的な形状に倣うように変形しながら回転して球を下球受皿から上球受皿に搬送するので、球揚送機構が上球受皿や下球受皿の周りの前面の曲面的な美的形状を確保しつつ遊技機枠の前部に設けられるという利点がある。
【発明を実施するための最良の形態】
【００１６】
図１乃至図７は、発明を実施するための最良の形態である。図１乃至図７において、従来と同一機能を有する部分には図９および図１０の符号と同一符号を付し、重複説明を省略する。図１は、パチンコ遊技機の遊技機枠１を示す。図２は、皿構造体５を分解して示す。図３のａ図は、球揚送機構３０を示す。図３のｂ図は、球揚送機構３０の右側面を示す。図４は、揚送筐体３１および揚送球搬送体３３を分解して示す。図５は、皿揚球装置の下球抜取扉２４および球揚送扉４３の部分の前後方向に切断した模式的な断面を示す。図６は、皿揚球装置の左右方向に切断した模式的な断面を示す。図７は、皿揚球装置の制御の流れを示す。本明細書において、「前」、「後」、「左」、「右」、「上」、「下」の方向は、図１の状態に遊技機枠１を置いて矢印Ａで示す前方から見た場合に特定される方向である。
【００１７】
図１において、球払出口１５が上球受皿１１の右側に設けられたこと、発射球供給口１６と上抜取球入口１７および上球抜取扉１８が上球受皿１１の左側に設けられたこと、上球抜取操作体１９および揚送操作体４２が皿構造体５の前面に設けられたこと、下球受皿１２の底面２８が下球受皿１２の内部に取り込まれた球を下抜取球出口２３に向けて流下させる斜面を構成したこと、揚送球入口２６には球揚送扉４３が設けられたこと、下球抜取扉２４および球揚送扉４３の双方が閉じた場合に球揚送扉４３の上面が下球抜取扉２４の上面よりも上方に配置され、下球抜取扉２４が閉じた場合に下球抜取扉２４の上面が球を揚送球入口２６に向けて流下させる斜面を構成し、球揚送扉４３が閉じた場合に球揚送扉４３の上面が球を下抜取球出口２３または底面２８に向けて流下させる斜面を構成したこと、球揚送扉４３が開いた場合に球揚送扉４３の上面が球を揚送球入口２６から揚送球導入路３４に向けて流下させる斜面を構成したこと、球揚送機構３０が上球受皿１１や下球受皿１２の周りの前面の曲面的な美的形状を確保しつつ遊技機枠１の前部に設けられることが図１０と相違する。揚送操作体４２は、遊技者に操作された場合、球揚送扉４３と図３の揚送モータ３２とが動くように構成されたことで、図９の揚送操作体２７と機能が異なる。
【００１８】
つまり、上記球揚送扉４３が揚送球入口２６に設けられたことは、揚送球入口２６が開閉可能に構成されたことと、同義語である。下球抜取扉２４および球揚送扉４３の双方が閉じた場合に球揚送扉４３の上面が下球抜取扉２４の上面よりも上方に配置されたことは、揚送球入口２６および下抜取球出口２３の双方が閉鎖した場合に揚送球入口２６が下抜取球出口２３よりも上方に配置されたことと、同義語である。下球抜取扉２４が閉じた場合に下球抜取扉２４の上面が球を揚送球入口２６に向けて流下させる斜面を構成することは、下抜取球出口２３が閉鎖した場合に球を揚送球入口２６に向けて流下させる斜面を構成することと、同義語である。球揚送扉４３が閉じた場合に球揚送扉４３の上面が球を下抜取球出口２３または底面２８に向けて流下させる斜面を構成したことは、揚送球入口２６が閉鎖した場合に球を下抜取球出口２３または底面２８に向けて流下させる斜面を構成することと、同義語である。球揚送扉４３が開いた場合に球揚送扉４３の上面が球を揚送球入口２６から揚送球導入路３４に向けて流下させる斜面を構成したことは、揚送球入口２６が開放した場合に球を揚送球入口２６から揚送球導入路３４に向けて流下させる斜面を構成することと、同義語である。
【００１９】
球揚送扉４３が揚送球入口２６を閉鎖しかつ揚送モータ３２が停止した状態において、揚送操作体４２が操作されると、球揚送扉４３が揚送球入口２６を開放し、揚送モータ３２が駆動する。球揚送扉４３が揚送球入口２６を開放しかつ揚送モータ３２が駆動した状態において、揚送操作体４２が操作されると、球揚送扉４３が揚送球入口２６を閉鎖し、それから規定時間後に揚送モータ３２が停止する。この球揚送扉４３が揚送球入口２６を開放しかつ揚送モータ３２が駆動した状態において、揚送操作体４２が操作される場合を、揚送操作体４２の再操作と称する。
【００２０】
図２を参照し、皿構造体５の構造について説明する。皿構造体５は、上球受皿１１、下球受皿１２、球揚送機構３０、後躯体５１、前化粧体５２を備える。後躯体５１は、皿構造体５の全体を構造的に支える土台を構成し、球払出口１５、発射球供給口１６、ヒンジ５３、中継球入口５４、前球中継路５５、中継連絡口５６、後球中継路５７、中継球出口５８、球発射操作取付部５９、配線孔６０、発射球送出機構６１を備える。前化粧体５２は、皿構造体５の美的形状を構成し、揚送操作体４２、下皿開口６３、操作逃避孔６４；６５；６６、下抜取球逃避孔６７を備える。
【００２１】
図２において、皿構造体５の組立方について説明する。上球抜取操作体１９が前化粧体５２の後から操作逃避孔６４に挿入され、図外のタッピングスクリューのような止ねじが上球受皿１１の後から上球受皿１１の図外の取付部を経由して前化粧体５２に締結されることによって、上球受皿１１が前化粧体５２に取り付けられる。また、下球抜取操作体２５が前化粧体５２の後から操作逃避孔６５に挿入され、図外のタッピングスクリューのような止ねじが下球受皿１２の後から下球受皿１２の図外の取付部を経由して前化粧体５２に締結されることによって、下球受皿１２が前化粧体５２に取り付けられる。また、球揚送機構３０が前化粧体５２の後に配置され、図外のタッピングスクリューのような止ねじが球揚送機構３０の後から球揚送機構３０の図外の取付部を経由して前化粧体５２に締結されることによって、球揚送機構３０が前化粧体５２に取り付けられる。次に、後躯体５１が上球受皿１１と下球受皿１２および球揚送機構３０を後から被覆し、図外のタッピングスクリューのような止ねじが後躯体５１の後から後躯体５１の図外の取付部を経由して前化粧体５２に締結されることによって、後躯体５１および前化粧体５２が互いに固定される。
【００２２】
このように皿構造体５が組み立てられた場合、上球抜取操作体１９に連動する上球抜取扉１８が発射球供給口１６の下縁部の前方に配置され、上球抜取扉１８よりも下流側における抜取球通路２９が中継球入口５４に接続され、下抜取球入口２２と中継球出口５８とが互いに接続される。したがって、上球抜取扉１８が開放された場合、球が上球受皿１１の抜取球通路２９から中継球入口５４、前球中継路５５、中継連絡口５６、後球中継路５７、中継球出口５８、下抜取球入口２２を経由して下球受皿１２に排出される。また、球揚送機構３０の下部における揚送球導入路３４が下球受皿１２の揚送球入口２６に接続され、球揚送機構３０の上部における筐体球出口８８が上球受皿１１の揚送球導出路３５に接続される。したがって、球揚送扉４３が揚送球入口２６を開放し、球揚送機構３０が駆動すると、球が下球受皿１２から揚送球入口２６、球揚送機構３０、筐体球出口８８、揚送球導出路３５、揚送球出口２０を経由して上球受皿１１に排出される。
【００２３】
皿構造体５が組み立てられた後、球発射操作機構１３（図１参照）の後部が前化粧体５２の前から操作逃避孔６６を経由して球発射操作取付部５９に重ね合わされ、図外のタッピングスクリューのような止ねじが後躯体５１の後から球発射操作取付部５９を経由して球発射操作機構１３に締結されることによって、球発射操作機構１３が後躯体５１に取り付けられる。これによって、皿構造体５が図１に示す形状に構成される。
【００２４】
図３のａ図に示すように、球揚送機構３０を前から見た場合、揚送筐体３１が下から上に行くにしたがって左上方に湾曲したことが、図９と相違する。図３のｂ図に示すように、球揚送機構３０を右から見た場合、揚送筐体３１が下から上に行くにしたがって後上方に湾曲したことが、図９と相違する。つまり、図３では、球揚送機構３０が図２の上球受皿１１や下球受皿１２の周りにおける前化粧体５２の前面の曲面的な美的形状を確保しつつ図１の遊技機枠１の前部に設けられるという利点がある。
【００２５】
図３において、球揚送機構３０は、揚送筐体３１の端部に機構躯体７１を備える。機構躯体７１には、揚送モータ３２および歯車箱７２が設けられる。歯車箱７２には、駆動歯車７３、中間歯車７４、従動歯車７５が設けられる。駆動歯車７３は、揚送モータ３２の出力軸に固定され、中間歯車７４に噛み合わされる。従動歯車７５は、揚送球搬送体３３に連結され、中間歯車７４に噛み合わされる。よって、揚送モータ３２が駆動すると、駆動歯車７３、中間歯車７４、従動歯車７５を介し、揚送球搬送体３３が回転する。駆動歯車７３と中間歯車７４および従動歯車７５からなる歯車列は、揚送モータ３２の速度を減速しかつ揚送モータ３２の出力を高出力として揚送球搬送体３３に伝達する減速機構を構成する。
【００２６】
図４を参照し、揚送筐体３１および揚送筐体３１の構造について説明する。揚送筐体３１は、後筐体７６、上前筐体７７、下前筐体７８を備える。後筐体７６には、半円筒状の球通路部７９、下部の筐体球入口８０、下部の回転支持部８１、下部の逃避部８２、上部の回転支持部８３、上部の固定支持部８４、取付部８５；８６が設けられる。上前筐体７７には、半円筒状の球通路部８７、上部の筐体球出口８８、上部の回転支持部８９、上部の固定支持部９０、取付部９１が設けられる。下前筐体７８には、半円筒状の球通路部９２、下部の回転支持部９３、下部の逃避部９４、中間の逃避部９５、取付部９６が設けられる。
【００２７】
揚送筐体３１は、心棒９８、螺旋体９９、回転盤１００；１０１を備える。心棒９８は、球通路部７９；８７；９２からなる１つの円筒状の空間の曲線的な中心線上に配置される曲線的な形状の丸棒として構成される。心棒９８の直径は、球通路部７９；９２からなる円筒状の空間の直径よりも小さい。心棒９８には、下部の軸受孔１０２、上部の回転支持部１０３、上部の固定支持体１０４が設けられる。螺旋体９９は、心棒９８を中心として回転した場合に、心棒９８や揚送筐体３１における球通路部７９；８７；９２からなる１つの円筒状の曲線的な空間に倣い変形し得る可撓性を有する。螺旋体９９は、例えば、丸棒を蔓巻発条のように蔓巻状に形成した形態である。螺旋体９９の内径は、心棒９８の外径よりも大きい。螺旋体９９の外径は、球通路部７９；８７；９２からなる円筒状の空間の直径よりも小さい。螺旋体９９には、下部の繋止部１０５、上部の繋止部１０６が設けられる。回転盤１００には、軸１０７、連結棒１０８、繋止部１０９が設けられる。回転盤１０１には、軸受孔１１０、繋止部１１１が設けられる。
【００２８】
図４において、揚送筐体３１および揚送球搬送体３３の組立方について説明する。心棒９８が螺旋体９９の内部に収容され、繋止部１０５が繋止部１０９に収容され、軸１０７が軸受孔１０２に収容され、繋止部１０６が繋止部１１１に係留され、軸受孔１１０が回転支持部１０３に収容される。これによって、揚送球搬送体３３が、心棒９８と螺旋体９９および回転盤１００；１０１から構成される。この揚送球搬送体３３における回転盤１００の後部が回転支持部８１に収容され、回転盤１０１の後部が回転支持部８３に収容され、固定支持体１０４の後部が固定支持部８４に収容され、連結棒１０８の後部が逃避部８２に収容される。これによって、螺旋体９９の下部が筐体球入口８０の前に対向するように配置される。
【００２９】
次に、上前筐体７７および下前筐体７８が揚送球搬送体３３を前から被覆しつつ後筐体７６に合わせられる。この場合、球通路部７９；８７；９２が１つの円筒状の曲線的な空間を形成し、この空間の内部に揚送球搬送体３３が収容され、回転盤１００の前部が回転支持部９３に収容され、回転盤１０１の前部が回転支持部８９に収容され、固定支持体１０４の前部が固定支持部９０に収容され、連結棒１０８の前部が逃避部９４に収容され、螺旋体９９の上部が筐体球出口８８の後に対向するように配置され、取付部８５が逃避部９５を経由して前方に突出する。その後、タッピングスクリューのような止ねじ１１２が上前筐体７７の取付部９１または下前筐体７８の取付部９６を経由して後筐体７６の取付部８６に締結される。これによって、揚送球搬送体３３を内蔵した揚送筐体３１が上前筐体７７および下前筐体７８から構成される。
【００３０】
上記揚送球搬送体３３を内蔵した揚送筐体３１においては、固定支持体１０４が揚送筐体３１に回転しないように支持されたことによって、心棒９８が揚送筐体３１に回転しないように支持されている。また、軸１０７が心棒９８に回転し得るように支持され、回転盤１００；１０１が揚送筐体３１に回転し得るように支持されたことによって、螺旋体９９が心棒９８および揚送筐体３１に回転し得るように支持されている。よって、揚送筐体３１から外側に突出した連結棒１０８が回転するのに伴い、螺旋体９９が蔓巻状の形態を心棒９８の曲線的な形状および揚送筐体３１の曲線的な形状に倣うように変形しながら回転する。
【００３１】
図５に示すように、下球抜取扉２４が閉じた場合に下球抜取扉２４の上面４５が球を揚送球入口２６に向けて流下させる斜面を構成するというように、下抜取球出口２３が閉鎖すると球を揚送球入口２６に流下させる斜面として構成される。球揚送扉４３が実線で示す位置に閉じた場合に球揚送扉４３の上面４４が球を下抜取球出口２３に向けて流下させる斜面を構成するというように、揚送球入口２６が閉鎖すると球を下抜取球出口２３に向けて流下させる斜面として構成される。よって、揚送球入口２６が閉鎖しかつ下抜取球出口２３が開放すると、遊技者が球に触れることがなく、球が矢印Ｘ１で示すように下球受皿１２の下抜取球出口２３から下球受皿１２の下方外部に落下して球箱３７に取り込まれるという利点がある。下抜取球出口２３が閉鎖しかつ揚送球入口２６が開放すると、遊技者が球に触れることがなく、球が矢印Ｘ２で示すように下球受皿１２から揚送球入口２６から揚送球導入路３４に排出されるという利点がある。閉じた下球抜取扉２４と閉じた球揚送扉４３との間の距離Ｄは、１個の球の半径よりも小さな寸法に設定され、下球抜取扉２４が開放しかつ球揚送扉４３が閉鎖した場合、球が距離Ｄ部分に滞留しないようになっている。
【００３２】
図６において、皿揚球装置の動作について説明する。上球抜取扉１８が上抜取球入口１７を閉鎖した状態において、球が上球受皿１１に貯蔵される場合、当該球は上球受皿１１から球発射球供給口１６と上球抜取扉１８の上面を経由しつつ発射球送出機構６１に到達する。そして、遊技者が図１の球発射操作機構１３を操作すると、発射球送出機構６１における電磁ソレノイドのようなアクチュエータが発射球送出体を駆動し、発射球送出体が球を図外の球発射機構の発射動作に合わせて球発射機構に発射球として１個ずつ供給する。球発射機構は、球発射操作機構１３（図１参照）から出力された操作量に応じた発射力で例えば１分間に１から１００発未満までの規定数の間隔で駆動し、発射球送出機構６１から供給された球を図外の遊技盤の前面に向けて発射する。
【００３３】
前記のように球が上球受皿１１に貯蔵された状態において、遊技者が上球抜取操作体１９を操作すると、上球抜取扉１８が実線で示す位置から仮想線で示す位置に移動して停止し上抜取球入口１７を開放する。これによって、上球受皿１１から発射球供給口１６に到達している球が、発射球供給口１６に残ることなく、矢印Ｘ３で示すように抜取球通路２９および下抜取球入口２２を経由して下球受皿１２に排出される。
【００３４】
そして、図５に示すように、下球抜取扉２４が実線で示す位置に停止して下抜取球出口２３を閉鎖し、球揚送扉４３が実線で示す位置に停止して揚送球入口２６を閉鎖した状態において、上記のように球が上球受皿１１から下球受皿１２に排出された場合、当該球は下球受皿１２の底面２８または球揚送扉４３の上面４４を下抜取球出口２３に向けて流下して下球受皿１２に貯蔵される。このように球が下球受皿１２に貯蔵され、球箱３７が下球受皿１２の真下に位置するように遊技機設置設備の棚３８の上に置かれた状態において、遊技者が下球抜取操作体２５を操作すると、下球抜取扉２４が実線で示す位置から仮想線で示す位置に移動しかつ停止して下抜取球出口２３を開放し、球が矢印Ｘ１で示すように下球受皿１２の下抜取球出口２３から下球受皿１２の下方外部に落下して球箱３７に取り込まれる。
【００３５】
図６に戻り、下球抜取扉２４が実線で示す位置に停止して下抜取球出口２３を閉鎖し、球が下球受皿１２に貯蔵された状態において、遊技者が揚送操作体４２を操作すると、球揚送扉４３が扉軸４６を中心として仮想線で示す位置から実線で示す位置に移動しかつ停止して揚送球入口２６を開放するとともに揚送モータ３２が駆動する。これによって、球が、矢印Ｘ４で示すように、揚送球入口２６から球揚送扉４３の上面と揚送球導入路３４と筐体球入口８０を経由して揚送球搬送体３３の下部に到達する。そして、揚送モータ３２の駆動によって回転された螺旋体９９が上記揚送球搬送体３３の下部に到達した球を上方に搬送する。この上方に搬送された球は矢印Ｘ５で示すように揚送球搬送体３３の上部から揚送球導出路３５を経由して揚送球出口２０から上球受皿１１に排出される。上記揚送モータ３２の駆動は、制御装置５０（図７参照）により自己保持される。
【００３６】
揚送モータ３２の駆動に伴い、球が下球受皿１２から上球受皿１１に揚送されている最中において、遊技者が揚送操作体４２を再操作すると、球揚送扉４３が扉軸４６を中心として実線で示す位置から仮想線で示す位置に移動しかつ停止して揚送球入口２６を閉鎖し、球が揚送球導入路３４に進入することなく下球受皿１２に貯蔵される。球揚送扉４３が揚送球入口２６を閉鎖してから規定時間を経過したら、揚送モータ３２が停止する。これによって、上記球揚送扉４３が揚送球入口２６を閉鎖した時点において、揚送球導入路３４に残る球が、上記揚送モータ３２の規定時間での駆動によって、上球受皿１１に揚送される。つまり、球揚送機構３０の駆動中に球揚送扉４３が閉鎖された場合、球が揚送球入口２６から球揚送機構３０に残らない。
【００３７】
前記揚送操作体４２の再操作後に、遊技者が上球抜取操作体１９を操作すると、上球抜取扉１８が上抜取球入口１７を開放し、球が矢印Ｘ３で示すように上球受皿１１から下球受皿１２に排出される。この場合、すでに、球揚送扉４３が仮想線で示す位置に停止して揚送球入口２６を閉鎖しているので、下抜取球入口２２から下球受皿１２に排出された球は、下球受皿１２の底面２８または球揚送扉４３の上面４４を下抜取球出口２３に向けて流下して下球受皿１２に貯蔵される。
【００３８】
図７を参照し、皿揚球装置の制御の流れについて説明する。図７において、揚送操作体４２が操作されるごとに揚送操作検出器４９が揚送開始信号を制御装置５０に出力し、制御装置５０が揚送モータ３２を制御する。具体的には、制御装置５０に内蔵されたコンピュータが、電気の供給を受けたことによって起動すると、制御装置５０を示すブロックの中に図示したフローチャートにしたがった揚送モータ３２に対する処理を実行する。つまり、揚送操作体４２が操作され、揚送操作検出器４９が揚送開始信号を制御装置５０に出力すると、ステップ１０１における揚送操作の判定がＹＥＳとなり、ステップ１０２に進む。
【００３９】
ステップ１０２では、揚送操作中であることを示すフラグがコンピュータのＲＡＭに設定されているか否かを判定する。ステップ１０２の判定において、フラグがＲＡＭに設定されていなければ、揚送操作中ではなく、ステップ１０１で入力された揚送開始信号が再入力ではない揚送開始信号であり、ステップ１０２がＮＯであるので、ステップ１０３に進む。ステップ１０３では、揚送操作中であることを示すフラグをコンピュータのＲＡＭに設定し、ステップ１０４に進む。ステップ１０４では、制御装置５０が揚送モータ３２を駆動するとともに揚送モータ３２に対する駆動を自己保持し、コンピュータによる処理の１サイクルを終わる。
【００４０】
上記ステップ１０２の判定において、フラグがＲＡＭに設定されていれば、揚送操作中であり、ステップ１０１で入力された揚送開始信号が再入力された揚送開始信号であり、ステップ１０２がＹＥＳであるので、ステップ１０５に進む。ステップ１０５では、揚送経過時間を計時し、ステップ１０６に進む。ステップ１０６では、ステップ１０５で計時した揚送経過時間が規定時間に到達したか否かを判定する。ステップ１０６の判定において、揚送経過時間が規定時間に到達していなければ、ステップ１０６がＮＯであり、ステップ１０５にジャンプする。ステップ１０６の判定において、揚送経過時間が規定時間に到達していれば、ステップ１０６がＹＥＳであり、ステップ１０７に進む。ステップ１０７では、制御装置５０が揚送モータ３２に対する駆動の自己保持を解除するとともに揚送モータ３２を停止し、ステップ１０８に進む。ステップ１０８では、フラグをＲＡＭから消去し、コンピュータによる処理の１サイクルを終わる。
【００４１】
上記制御の処理によれば、揚送操作体４２が操作されると、制御装置５０が揚送モータ３２を駆動するとともに揚送モータ３２に対する駆動を自己保持する。そして、制御装置５０が揚送モータ３２に対する駆動を自己保持した状態において、揚送操作体４２が操作されると、制御装置５０が揚送操作検出器４９からの揚送開始信号の再入力を検出し、この再入力の検出から規定時間後に、制御装置５０が揚送モータ３２に対する駆動の自己保持を解除するとともに揚送モータ３２を停止する。規定時間は、制御装置５０の再入力を検出してから揚送球搬送体３３が揚送球導入路３４に残存する全ての球を揚送球導出路３５に揚送するまでに要する時間として、経験則から求められ、制御装置５０におけるコンピュータのＲＯＭに設定される。
【００４２】
最良の形態によれば、図６に示すように、揚送筐体３１が下球受皿１２の方から上球受皿１１の方に行くにしたがって左上方に湾曲し、蔓巻状の螺旋体９９が心棒９８と揚送筐体３１の円筒状の曲線的な空間との間に配置されかつ揚送モータ３２の駆動で心棒９８を中心として心棒９８の周囲を一方向に回転することによって球を下球受皿１２から上球受皿１１に搬送するようになっている。よって、図２に示すように、球揚送機構３０が、前化粧体５２における上球受皿１１や下球受皿１２の周りの前面の曲面的な美的形状を確保しつつ、遊技機枠１の前部における前化粧体５２と後躯体５１との間の空間に設けられるという利点がある。
【００４３】
図５に示すように、下球受皿１２の底面２８が球を下抜取球出口２３に向けて流下させる斜面として構成され、揚送球入口２６が開閉可能に構成され、揚送球入口２６が閉鎖すると球を下抜取球出口２３または底面２８に向けて流下させる斜面として構成され、そして、下抜取球出口２３および揚送球入口２６が閉鎖して球が下球受皿１２に貯蔵された状態において、下抜取球出口２３が開放すると球が底面２８を流下して下球受皿１２から下方外部に全て抜き取られ、また、抜取球出口２３および揚送球入口２６が閉鎖して球が下球受皿１２に貯蔵された状態において、下抜取球出口２３が閉鎖しかつ揚送球入口２６が開放すると球揚送機構３０が下球受皿１２から上球受皿１１に球を搬送するように駆動し、その球揚送機構３０の駆動中に揚送球入口２６が閉鎖するとその閉鎖から規定時間後に球揚送機構３０が停止し、球が揚送球入口２６から球揚送機構３０に残らないので、遊技者が揚送球入口を手などで塞ぐことが不要であって、遊技者が球に触れることがなく、下球受皿や上球受皿から全ての球が抜き取れるという利点がある。
【００４４】
具体的には、球揚送扉４３が揚送球入口２６を閉鎖し、下球抜取扉２４が下抜取球出口２３を閉鎖した状態において、遊技者が上球抜取操作体１９を操作した場合、球が上球受皿１１から下球受皿１２に抜き取られて貯蔵される。そして、球箱３７が下球受皿１２の真下に位置するように遊技機設置設備の棚３８の上に置かれ、遊技者が下球抜取操作体２５を操作すると、球が下球受皿１２から下球受皿１２の下方外部の球箱３７に全て抜き取られる。また、上記のように球が下球受皿１２に貯蔵された後、遊技者が下球抜取操作体２５を操作しないで揚送操作体４２を操作すると、球揚送扉４３が揚送球入口２６を開放するとともに揚送モータ３２が駆動し、球が下球受皿１２から上球受皿１１に揚送されて上球受皿１１に貯蔵される。その後、遊技者が下揚送操作体４２を再操作すると、球揚送扉４３が揚送球入口２６を閉鎖してから規定時間後に揚送モータ３２が停止し、球が揚送球入口２６から球揚送機構３０に残らない。このため、遊技者が揚送球入口２６を手などで塞ぐことが不要であり、遊技者が球に触れることがなく、下球受皿１２から上球受皿１１に球を揚送させたり、上球受皿１１から下球受皿１２に球を抜き取ったり、下球受皿１２から球箱３７に球を抜き取ったりすることができるという利点がある。つまり、遊技者が球に触れることがなく、下球受皿１２や上球受皿１１から全ての球が抜き取れるという利点がある。
【産業上の利用可能性】
【００４５】
球揚送扉４３は、電動式または機械式に開閉することができる。球揚送扉４３を電動式に開閉する場合、球揚送扉４３にアクチュエータを設け、揚送操作体４２の操作に伴いアクチュエータが球揚送扉４３を開放するように動かし、揚送操作体４２の再操作に伴いアクチュエータが球揚送扉４３を閉鎖するように動かす。球揚送扉４３を機械式に開閉する場合、揚送操作体４２と球揚送扉４３とを互いに連結機構で連結しておき、揚送操作体４２の操作に伴い連結機構を介して球揚送扉４３が開放するように動作してその開放状態を保持し、揚送操作体４２の再操作に伴い連結機構を介して球揚送扉４３が閉鎖するように動作してその閉鎖状態を保持する。また、球揚送扉４３を機械式に開閉する場合、揚送操作体４２と球揚送扉４３とを互いに連結機構で連結しておき、揚送操作体４２が遊技者で操作されるのに伴い連結機構を介して球揚送扉４３が揚送球入口２６を開放するように動作し、上記揚送操作体４２への遊技者からの操作が解除されるのに伴い連結機構を介して球揚送扉４３が揚送球入口２６を閉鎖するように動作してもよい。つまり、揚送操作体４２が遊技者で操作されている間は球揚送扉４３が揚送球入口２６を開放し、揚送操作体４２への遊技者による操作が解除されると球揚送扉４３が揚送球入口２６を閉鎖する構造になっている。この場合、揚送操作体４２への遊技者からの操作の解除が揚送操作体４２の再操作に相当する。
【００４６】
図１において、前扉４および皿構造体５は一体であってもよい。また、球揚送機構３０は、図２の後躯体５１の後部にも設けられてもよい。
【００４７】
図１において、遊技機はパチンコ遊技機に限定されるものではなくスロットマシンでもよい。つまり、遊技盤を図柄表示器に置換し、球発射操作機構１３を球取込操作機構に置換し、球発射機構を球取込機構に置換し、遊技開始操作機構および図柄停止操作機構を皿構造体５の前部または前扉４の前部に設ければ、皿揚球装置はスロットマシンにも適用できる。
【００４８】
図８に示すように、球揚送扉４３を構成してもよい。図８のａ図では、球揚送扉４３が実線で示す閉鎖位置と仮想線で示す開放位置とに軸１１３を中心として回転するようになっている。この場合、球揚送扉４３は、片開きに限定されるものではなく、両開きであってもよい。図８のｂ図では、球揚送扉４３が実線で示す閉鎖位置と仮想線で示す開放位置とに軸１１４を中心として回転する。
【００４９】
図４において、心棒９８および螺旋体９９が可撓性を有する材料からなり、螺旋体９９が心棒９８に設けられかつ心棒９８の上下方向に延びる軸心と平行な方向に球を１個ずつ分離する間隔で心棒９８の外周面から径方向外側に螺旋形状に突出するように、心棒９８と螺旋体９９とが一体となって揚送球搬送体３３を構成してもよい。この場合、揚送モータ３２の駆動で心棒９８を回転すればよい。
【図面の簡単な説明】
【００５０】
【図１】遊技機枠の斜視図（最良の形態）。
【図２】皿構造体の分解斜視図（最良の形態）。
【図３】ａ図は球揚送機構の前方からの斜視図、ｂ図は球揚送機構の右側面図（最良の形態）。
【図４】揚送筐体および揚送球搬送体の分解斜視図（最良の形態）。
【図５】皿揚球装置の下球抜取扉および球揚送扉の部分の前後方向断面図に相当する模式図（最良の形態）。
【図６】皿揚球装置の左右方向断面図に相当する模式図（最良の形態）。
【図７】皿揚球装置のフローチャート（最良の形態）。
【図８】球揚送扉を示す模式図（異なる形態）。
【図９】皿揚球装置の縦断面図に相当する模式図（従来）。
【図１０】遊技機枠の斜視図（従来）。
【符号の説明】
【００５１】
１は遊技機枠、２は固定枠、３は可動枠、４は前扉、５は皿構造体、６はヒンジ、７はヒンジ、８は欠番、９は窓、１０は前面パネル、１１は上球受皿、１２は下球受皿、１３は球発射操作機構、１４は欠番、１５は球払出口、１６は発射球供給口、１７は上抜取球入口、１８は上球抜取扉、１９は上球抜取操作体、２０は揚送球出口、２１は欠番、２２は下抜取球入口、２３は下抜取球出口、２４は下球抜取扉、２５は下球抜取操作体、２６は揚送球入口、２７は揚送操作体、２８は下球受皿１２の底面、２９は抜取球通路、３０は球揚送機構、３１は揚送筐体、３２は揚送モータ、３３は揚送球搬送体、３４は揚送球導入路、３５は揚送球導出路、３６は欠番、３７は球箱、３８は棚、３９乃至４１は欠番、４２は揚送操作体、４３は球揚送扉、４４は球揚送扉４３の上面、４５は下球抜取扉２４の上面、４６は扉軸、４７；４８は欠番、４９は揚装操作検出器、５０は制御装置、５１は後躯体、５２は前化粧体、５３はヒンジ、５４は中継球入口、５５は前球中継路、５６は中継連絡口、５７は後球中継路、５８は中継球出口、５９は球発射操作取付部、６０は配線孔、６１は発射球送出機構、６２は欠番、６３は下皿開口、６４乃至６６は操作逃避孔、６７は下抜取球逃避孔、６８乃至６９は欠番、７１は機構躯体、７２は歯車箱、７３は駆動歯車、７４は中間歯車、７５は従動歯車、７６は後筐体、７７は上前筐体、７８は下前筐体、７９は球通路部、８０は筐体球入口、８１は回転支持部、８２は逃避部、８３は回転支持部、８４は固定支持部、８５；８６は取付部、８７は球通路部、８８は筐体球出口、８９は回転支持部、９０は固定支持部、９１は取付部、９２は球通路部、９３は回転支持部、９４は逃避部、９５は逃避部、９６は取付部、９７は欠番、９８は心棒、９９は螺旋体、１００；１０１は回転盤、１０２は軸受孔、１０３は回転支持部、１０４は固定支持体、１０５；１０６は繋止部、１０７は軸、１０８は連結棒、１０９は繋止部、１１０は軸受孔、１１１は繋止部、１１２は止ねじ、１１３；１１４は軸。
【図１】
2008132140.tif 000003
【図２】
2008132140.tif 000004
【図３】
2008132140.tif 000005
【図４】
2008132140.tif 000006
【図５】
2008132140.tif 000007
【図６】
2008132140.tif 000008
【図７】
2008132140.tif 000009
【図８】
2008132140.tif 000010
【図９】
2008132140.tif 000011
【図１０】
2008132140.tif 000012